(57)【要約】【課題】  分電盤に対する電力線通信の信号漏れ対策や、電盤を挟んだグループ間の干渉対策を容易に行える、分電盤の改修工法を提供する。【解決手段】  本発明は、主幹ブレーカ３と分岐ブレーカ４を内部に有する分電盤１に対して、電力線通信の信号通過を抑制する機能を付加するための分電盤の改修工法であり、電力線通信の信号通過を抑制するブロッキングフィルタ１１の構成素子１３，１４を、主幹ブレーカ３の一次側に設置することを特徴とするものである。【選択図】      図２
2009011140.tif 000002
【特許請求の範囲】
【請求項１】
主幹ブレーカと分岐ブレーカを内部に有する分電盤に対して、電力線通信の信号通過を抑制する機能を付加するための分電盤の改修工法であって、
電力線通信の信号通過を抑制するブロッキングフィルタの構成素子を、前記主幹ブレーカの一次側に設置することを特徴とする分電盤の改修工法。
【請求項２】
前記ブロッキングフィルタの構成素子は、前記主幹ブレーカの一次側に位置する配電路間に挿入されるコンデンサと、その配電路の周囲を取り囲むように取り付けられる磁性体の組み合わせよりなる請求項１に記載の分電盤の改修工法。
【請求項３】
前記コンデンサは、当該コンデンサに直列接続される遮断部材を経由して前記配電路間に挿入される請求項２に記載の分電盤の改修工法。
【請求項４】
前記磁性体は溝型断面に形成された一対のコアピースよりなり、これらのコアピース同士を、ギャップを有して互いに接合することで前記磁性体を構成する請求項２又は３に記載の分電盤の改修工法。
【請求項５】
前記ブロッキングフィルタは、前記コンデンサ又は前記磁性体若しくはこれらの双方を事前に一体に作り込んだフィルタユニットよりなる請求項２に記載の分電盤の改修工法。
【請求項６】
以下の工程（１）及び（２）を含むことを特徴とする電力線通信システムの構築方法。
（１）  分電盤から分岐する枝線に電力線通信を行うモデムを接続する工程
（２）  請求項１〜５のいずれか１項に記載の改修工法を前記分電盤に施工する工程 
【発明の詳細な説明】
【技術分野】
【０００１】
本発明は、電力線通信の信号通過を抑制する機能を分電盤に付加するための分電盤の改修工法と、電力線通信システムの構築方法に関する。
【背景技術】
【０００２】
電力線通信（ＰＬＣ：Power Line Communication）は、電力線に高周波信号を重畳して高速通信を行う通信方式であり、新たに通信用ケーブルを設ける必要が無いという利点を有する（非特許文献１参照）。また、近年、ＬＡＮ（ローカルエリアネットワーク）を構成する手段としての電力線通信が注目されている。
例えば、新規に通信線を敷設することが困難なホテルでは、既存の屋内配電線を信号伝送路とするＰＬＣが至便である。このようなホテルのＰＬＣ−ＬＡＮでは、各部屋にＰＬＣモデムの子機が設置され、一定の子機数ごとに親機が一台設置され、各フロアごとに親機と複数の子機との間でＬＡＮのグループが構成される。
【０００３】
しかし、屋内配電線は１つの変圧器の下で共通の電路であるため、信号伝送路が複数のグループに共有されている。信号伝送路の距離が長くなるとＰＬＣの通信はつながりにくくなるが、近接しているとつながりやすい。そのため、例えば、ある階の子機からその階の親機と通信を行いたいのに、他の階の親機とつながってしまい、通信の混乱が生じる場合があり得る。
また、一方の信号が他方から見てノイズとなり、正常な通信がし難くなり、信号の伝送速度が低下するという問題が生じ得る。その結果として、例えばＶＯＤ (ビデオオンデマンド) サービスの様な高速な情報提供に支障が出る恐れがある。
【０００４】
そこで、配電の起点となる分電盤の主幹ブレーカと分岐ブレーカとの間にブロッキングフィルタを設け、分岐ブレーカに繋がっているＰＬＣ−ＬＡＮの電力線通信の伝送信号（ＰＬＣ信号）がネットワーク外に漏洩するのを防止することが提案されている（特許文献１参照）。
【０００５】
【特許文献１】特開２００６−１１５４８１号公報（図６）
【非特許文献１】Interface、第７０〜８１頁、「電力線搬送（ＰＬＣ: Power Line Communication）の現状」、江藤潔著、ＣＱ出版社、２０００年９月
【発明の開示】
【発明が解決しようとする課題】
【０００６】
上記ＰＬＣ用のブロッキングフィルタもＬＣフィルタで構成することができるが、電力線には配電のための大電流が流れるため、ＰＬＣ用のブロッキングフィルタの場合は電子機器に使用されるＬＣフィルタよりも格段に大型となる。
一方、分電盤の内部では、通常、主幹ブレーカと分岐ブレーカが銅製の複数本のブスバーで接続されているが、分電盤をコンパクトに構成するために、複数本のブスバーが密に配列されていることが多い。
【０００７】
このため、通常のＰＬＣ用のブロッキングフィルタを主幹ブレーカと分岐ブレーカの間に接続しようとしても、上記ブスバーと干渉するために当該ブロッキングフィルタを設置するスペースが取れないことが多く、分電盤に対するブロッキングフィルタの取り付け作業が非常に困難であるという問題があった。
【０００８】
本発明は、かかる従来の問題点に鑑み、分電盤に対する電力線通信の信号漏れ対策や、分電盤を挟んだグループ間の干渉対策を容易に行える、分電盤の改修工法等を提供することを目的とする。
【課題を解決するための手段】
【０００９】
本発明の分電盤の改修工法（請求項１）は、主幹ブレーカと分岐ブレーカを内部に有する分電盤に対して、電力線通信の信号通過を抑制する機能を付加するための分電盤の改修工法であって、電力線通信の信号通過を抑制するブロッキングフィルタの構成素子を、前記主幹ブレーカの一次側に設置することを特徴とする。
【００１０】
分電盤の主幹ブレーカの一次側は、二次側とは異なり分岐ブレーカが近接していないので、二次側に比べてブロッキングフィルタの構成素子の設置スペースが取れることが多く、また、二次側のようなブスバーではなく、可撓性のあるケーブルが接続されていることが多い。
従って、本発明工法のように、ブロッキングフィルタの構成素子を主幹ブレーカの一次側に設置するようにすれば、その構成素子を二次側に設置する場合に比べて、ブロッキングフィルタの取り付け作業が簡単になり、分電盤に対する電力線通信の信号漏れ対策を容易に行うことができる。
【００１１】
本発明の補修工法において、前記ブロッキングフィルタの構成素子は、前記分電盤の筐体の内部に設置することもできるし、前記分電盤の筐体の外部に露出する配電路における、当該筐体近傍の部分に設置することもできる。
また、本発明の補修工法において、前記ブロッキングフィルタの構成素子は、前記主幹ブレーカの一次側に位置する配電路間に挿入されるコンデンサと、その配電路の周囲を取り囲むように取り付けられる磁性体（例えば、フェライトコア等の強磁性体）の組み合わせより構成することができる（請求項２）。この場合、コンデンサ単体或いは磁性体単体よりなるブロッキングフィルタの場合に比べて、ＰＬＣ信号の通過抑制効果をより向上することができる。
【００１２】
ところで、上記ブロッキングフィルタの構成要素となり得るコンデンサは、雷サージや過電圧の印加等によってブレークダウンする可能性があるので、配電路間に当該コンデンサを挿入すると電源断を発生させる危険性がある。
そこで、そのような電源断を防止するため、前記コンデンサは、当該コンデンサに直列接続される遮断部材を経由して前記配電路間に挿入されることが好ましい（請求項３）。
【００１３】
また、本発明の補修工法において、前記磁性体は溝型断面に形成された一対のコアピースよりなり、これらのコアピース同士を、ギャップを有して互いに接合することで前記磁性体を構成することが好ましい（請求項４）。
この場合、ギャップを有して互いに接合されるコアピース同士で前記磁性体を構成するので、負荷の交流電流が増大した時にブロッキング特性が低下するのを軽減することができる。
【００１４】
更に、本発明の補修工法において、前記ブロッキングフィルタは、前記コンデンサ又は前記磁性体若しくはこれらの双方を事前に一体に作り込んだフィルタユニットよりなることが好ましい（請求項５）。
この場合、上記のように作り込んだフィルタユニットを改修現場で取り付けるだけでブロッキングフィルタの取り付け作業が完了し、改修現場においては煩雑となる現地取付作業を行う必要がなくなる。このため、改修現場での作業を迅速化することができる。
なお、上記の「煩雑な取付作業」とは、例えば、被覆電線に磁性体を取り付ける作業や、被覆電線にコンデンサのリード線を接続する等の作業内容のことをいう。
【００１５】
本発明の電力線通信システムの構築方法（請求項６）は、以下の工程（１）及び（２）を含むことを特徴とする。
（１）  分電盤から分岐する枝線に電力線通信を行うモデムを接続する工程
（２）  上記改修工法を前記分電盤に施工する工程
この構築方法によれば、分電盤に対して電力線通信の信号漏れ対策が容易な上記改修工法を採用したので、当該電力線通信システムの構築もより簡便になる。
【発明の効果】
【００１６】
以上の通り、本発明によれば、ブロッキングフィルタの構成素子を主幹ブレーカの一次側に設置するようにしたので、その構成素子を二次側に設置する場合に比べてブロッキングフィルタの取り付け作業が簡単であり、分電盤に対する電力線通信の信号漏れ対策や分電盤を挟んだグループ間の干渉対策が容易になる。
【発明を実施するための最良の形態】
【００１７】
以下、図面を参照して、本発明の実施形態を説明する。
〔分電盤〕
図１は、本発明の改修方法に適した分電盤の内部構造を示す正面図である。
図１に示すように、この分電盤１は、開閉自在な蓋部材（図示せず）を有する前方開口状の中空箱体よりなる筐体２と、この筐体２の内部の上部よりに配置された主幹ブレーカ３と、筐体２の内部の下部よりに配置された複数（図例では８つ）の分岐ブレーカ４とを備えている。
【００１８】
筐体２の内部の背面板には、図示しない取付フレームが設けられており、この取付フレームに、上記主幹ブレーカ３や分岐ブレーカ４がねじ止めによって取り付けられている。本実施形態の分電盤１は単相三線方式であり、主幹ブレーカ３は一次側と二次側にそれぞれ三つの接点５，６を有している。
一次側の各接点５は、一方の活線Ｒ（以下、赤相Ｒ）に繋がる第一接点５Ｒと、他方の活線Ｂ（以下、黒相Ｂ）に繋がる第二接点５Ｂと、中性線Ｗ（以下、白相Ｗ）に繋がる第三接点５Ｗとからなる。
【００１９】
二次側の各接点６には、それぞれ、導電性を有する銅製のブスバー７がねじ止めによって接続され、これらのブスバー７は、赤相Ｒ用の第一ブスバー７Ｒと、黒相Ｂ用の第二ブスバー７Ｂと、白相Ｗ用の第三ブスバー７Ｗとからなる。
これら第一〜第三ブスバー７Ｒ，７Ｂ，７Ｗは、同じ横断面形状の真っ直ぐな銅製の板材よりなり、二列配置の分岐ブレーカ４の間、すなわち、左列の四つの分岐ブレーカ４と右列の四つの分岐ブレーカ４の間を通って下方に延設されている。
【００２０】
また、第一〜第三ブスバー７Ｒ，７Ｂ，７Ｗは、その上端部において主幹ブレーカ３の二次側の各接点６Ｒ，６Ｂ，６Ｗにねじ止めされ、互いに平行でかつほぼ等間隔で並ぶ三列の状態で配列されている。そして、第一ブスバー７Ｒと第三ブスバー７Ｗは、左列の分岐ブレーカ４の二つの接点にそれぞれ接続され、第二ブスバー７Ｂと第三ブスバー７Ｗは、右列の分岐ブレーカ４の二つの接点にそれぞれ接続されている。
このため、各分岐ブレーカ４の接点には、赤相Ｒ又は黒相Ｂによる単相１００Ｖの交流電圧が印加されるようになっている。なお、分岐ブレーカ４の各接点に第一ブスバー７Ｒと第二ブスバー７Ｂを接続して、単相２００Ｖの交流電圧が印加される場合もある。
【００２１】
〔第一実施形態〕
図２は、本発明の第一実施形態に係る改修工法を行った後の、主幹ブレーカ３とブロッキングフィルタ１１の正面図である。
図２に示すように、本実施形態は、筐体２の内部における主幹ブレーカ３の一次側に十分なスペースがある場合に、電力線通信の伝送信号（ＰＬＣ信号）の通過を抑制するブロッキングフィルタ１１の構成素子を、主幹ブレーカ３の一次側の各接点５Ｒ，５Ｂ，５Ｗに接続された被覆電線１２に取り付けるようにしたものである。
【００２２】
上記ブロッキングフィルタ１１の構成素子は、主幹ブレーカ３の一次側に位置する被覆電線１２間に挿入されるコンデンサ１３と、この被覆電線１２の周囲を取り囲むように取り付けられるフェライトコア１４に代表される磁性体の組み合わせよりなる。
このうち、図２に例示するフェライトコア１４は、被覆電線１２を取り囲むことができる断面ほぼ円形の筒状体よりなり、その構成材料は、電気的に絶縁性を有しかつ強磁性を示す金属酸化物よりなり、磁気飽和特性が周波数により変化する特性を有する。
【００２３】
例えば、交流信号に対する特性として周波数が１０Ｈｚ〜１ＭＨｚ程度までは比透磁率はほぼ一定であるが、それ以上では比透磁率が大きくなる周波数帯があり、商用電源の交流信号で飽和していても１ＭＨｚ以上では飽和しないので、ＰＬＣで使用する周波数帯（２〜３０ＭＨｚ）の信号をブロックすることができる。
つまり、商用交流電流に対しては材料が磁気飽和するまでは、そのインピーダンスにより抵抗分として作用するが、飽和してしまうと商用交流電流に対しては、それ以上抵抗とはならず通してしまう。
【００２４】
これに対し、ＰＬＣで使用する周波数帯の信号に対しては磁気飽和にならない領域がまだ残されているため抵抗分として作用し、信号の通過を抑制することになる。
従って、上記フェライトコア１４は、周波数５０又は６０Ｈｚの商用交流電流に対しては、実用上、送電に支障となるインピーダンスを発生させず、この点で存在しないのとほぼ同じである。
【００２５】
本実施形態のフェライトコア１４は、複数の溝型部品に分割構成されており、一方が開放された溝型断面に形成された同じ断面形状の一対のコアピース１５，１５よりなる。そして、この一対のコアピース１５，１５は、その開放部分同士が非磁性体よりなる介在シート１６を介して互いに接合されており、これによって断面円筒状のフェライトコア１４が作製されている。
【００２６】
このように、コアピース１５，１５が介在シート１６によってギャップを有して互いに接合されているので、負荷の交流電流増大時にブロッキング特性がやや低下する傾向があるのを軽減することができ、負荷電流が大きい時のブロッキング特性を向上することができる。
なお、かかるブロッキング特性の低下の防止を確実に達成するには、コアピース１５，１５間のギャップを０．５ｍｍ以下にすることが好ましい。
【００２７】
図３は、コンデンサ１３を被覆電線１２に接続するのに適したコンデンサ接続ユニット１７を示している。
このユニット１７は、複数本（図例では二本）の被覆電線１２を径外方向から挟み込んだ状態で互いに接合される一対の接合フレーム１８Ａ，１８Ｂと、一方の接合フレーム１８Ａに設けられた前記コンデンサ１３と、同フレーム１８Ａに設けられたヒューズ等よりなる遮断部材１９と、接合フレーム１８Ａ，１８Ｂの両端部同士を互いに締結するための止めねじ２０とを備えている。
【００２８】
一対の接合フレーム１８Ａ，１８Ｂは断面矩形の中実棒状材よりなり、左右一対の半円形状の収納溝２１を互いの接合面に有している。これらの収納溝２１は被覆電線１２とほぼ同径寸法である。
従って、各収納溝２１内に一対の被覆電線１２をそれぞれ収納して両接合フレーム１８Ａ，１８Ｂを互いに接合し、その接合フレーム１８Ａ，１８Ｂの両端部を止めねじ２０で締結することにより、一対の被覆電線１２が径外方向から挟み込まれ、その一対の被覆電線１２間に接合フレーム１８Ａ，１８Ｂを架け渡した状態で取り付けられるようになっている。
なお、接合フレーム１８Ａ，１８Ｂは、中空棒状材やコの字枠状の部材でもよく、収納溝２１の形状は、半円の一部や半楕円等の形状であってもよい。
【００２９】
また、一対の接合フレーム１８Ａ，１８Ｂは、コンデンサ１３及び遮断部材１９が取り付けられた第一フレーム１８Ａと、これらを有しない第二フレーム１８Ｂとからなる。このうち、第一フレーム１８Ａには、当該フレーム１８Ａをその上面から収納溝２１に至って貫通する、導電性を有する一対の接続ピン２２が設けられている。
この各接続ピン２２は、被覆電線１２の被覆に差し込み可能な程度に尖った先端部を有し、第一フレーム１８Ａの上面から収納溝２１の底までの距離よりも、やや長寸になっている。
【００３０】
また、各接続ピン２２は、被覆電線１２への取り付け前の状態においては、先端部が収納溝２１内に到達しないように、基端部が第一フレーム１８Ａの上面から突出している。この各接続ピン２２の突出端部には、コンデンサ１３及び遮断部材１９の一方の端子がそれぞれ接続されており、このコンデンサ１３及び遮断部材１９のもう一方の端子同士は互いに直結されている。
【００３１】
従って、一対の被覆電線１２間に接合フレーム１８Ａ，１８Ｂを架け渡した状態で取り付けた後、各接続ピン２２の突出端部を押し込むと、接合フレーム１８Ａ，１８Ｂの収納溝２１に収納された被覆電線１２に接続ピン２２が突き刺さって内部の芯線に接続され、これにより、コンデンサ１３が遮断部材１９を経由して一対の被覆電線１２間に挿入されるようになっている。
なお、図３の例では、遮断部材１９としてヒューズを採用しているが、この遮断部材１９はヒューズ機能とスイッチ機能を兼ね備えたブレーカであってもよい。
また、このヒューズ１９のコンデンサ１３との設置位置関係は、ヒューズ１９を高圧側（ＲまたはＢ側）に設置、すなわち、コンデンサ１３をアース（Ｗ）側に設置する方が安全上好ましい。その理由は、このコンデンサ１３が保守の観点から取り外し容易な構造とした場合、ヒューズ１９が切れた状態であれば、高圧側がコンデンサ１３の端子部から切り離された状態となるため、このヒューズ１９を抜く或いは断路状態にしておくことで、容易にコンデンサ１３の交換を実施することができるからである。
【００３２】
図２に戻り、本実施形態では、主幹ブレーカ３の一次側に十分なスペースがあり、各接点５Ｒ，５Ｂ，５Ｗに接続された三本の被覆電線１２がそのスペースを上下方向に通過している。
そこで、本実施形態では、第一接点５Ｒに通じる第一電線１２Ｒ、第二接点５Ｂに通じる第二電線１２Ｂ及び第三接点５Ｗに通じる第三電線１２Ｗのそれぞれに、フェライトコア１４を上下方向の距離を離して取り付け、これらのフェライトコア１４の間に、二つのコンデンサ接続ユニット１７を取り付けている。
【００３３】
上記二つのコンデンサ接続ユニット１７は、第一電線１２Ｒと第三電線１２Ｗの間にコンデンサ１３を挿入するもの（図２の下側のユニット１７）と、第二電線１２Ｂと第三電線１２Ｗの間にコンデンサ１３を挿入するもの（図２の上側のユニット１７）とがあり、これにより、Ｌ＋Ｃ＋Ｌ構造のＬＣ回路よりなるブロッキングフィルタ１１が主幹ブレーカ３の一次側に設置されている。
【００３４】
このように、分電盤１の主幹ブレーカ３の一次側は、二次側とは異なり分岐ブレーカ４が近接していないので、二次側に比べてブロッキングフィルタ１１の設置スペースが取れることが多く、また、二次側のようなブスバー７ではなく、可撓性のあるケーブル（被覆電線１２）が接続されていることが多い。
従って、本実施形態の改修工法のように、ブロッキングフィルタ１１を主幹ブレーカ３の一次側に設置するようにすれば、そのフィルタ１１を二次側に設置する場合に比べて、ブロッキングフィルタ１１の取り付け作業が簡単になり、分電盤１に対する電力線通信の信号漏れ対策や分電盤を挟んだグループ間の干渉対策を容易に行うことができる。
【００３５】
また、本実施形態によれば、上記ブロッキングフィルタ１１を、主幹ブレーカ３の一次側に位置する被覆電線１２間に挿入されるコンデンサ１３と、その被覆電線１２の周囲を取り囲むように取り付けられるフェライトコア１４の組み合わせより構成しているので、コンデンサ１３単体或いはフェライトコア１４単体よりなるブロッキングフィルタ１１の場合に比べて、ＰＬＣ信号の通過抑制効果をより向上することができる。
更に、本実施形態によれば、コンデンサ１３がヒューズ機能を有する遮断部材１９を経由して被覆電線１２間に挿入されているので、コンデンサ１３を設けたことに伴う、雷サージや過電圧の印加等による電源断の危険性を減少させることができる。
【００３６】
〔第一実施形態の変形例〕
図４の（ａ）〜（ｃ）は、上記第一実施形態の変形例を示す、主幹ブレーカ３とブロッキングフィルタ１１の正面図である。これらの変形例では、第三接点５Ｗに第三電線１２Ｗを二本接続して、被覆電線１２を合計四本としている。
そして、図４（ａ）の変形例では、フェライトコア１４の内部で第一電線１２Ｒと一方の第三電線１２Ｗのペアがクロスするように、それらの電線１２Ｒ，１２Ｗをコア１４に挿通し、第二電線１２Ｂと他方の第三電線１２Ｗのペアについても、フェライトコア１４の内部でクロスするように当該コア１４内に挿通することにより、フェライトコア１４の個数を四つに減少させている。
【００３７】
なお、図４（ａ）の変形例では、第一実施形態（図２）の場合と同様に、上下のフェライトコア１４の間に二つのコンデンサ接続ユニット１７が配置されている。このうちの一方のユニット１７は、第一電線１２Ｒと一方の第三電線１２Ｗの間にコンデンサ１３に挿入するものであり、他方のユニット１７は、第二電線１２Ｂと他方の第三電線１２Ｗにコンデンサ１３を挿入するものである。
従って、図４（ａ）の変形例は、Ｌ＋Ｃ＋Ｌ構造のＬＣ回路よりなるブロッキングフィルタ１１である点で第一実施形態（図２）と同様であるが、被覆電線１２のクロス部分にフェライトコア１４を設けてその個数を減少させている点で、第一実施形態（図２）と異なる。
【００３８】
なお、図４（ｂ）の変形例では、図４（ａ）の変形例から、上二つのフェライトコア１４を省略した構造になっており、Ｃ＋Ｌ構造のＬＣ回路よりなるブロッキングフィルタ１１を構成している。
また、図４（ｃ）の変形例では、図４（ａ）の変形例から、下二つのフェライトコア１４を省略した構造になっており、Ｌ＋Ｃ構造のＬＣ回路よりなるブロッキングフィルタ１１を構成している。
【００３９】
〔第二実施形態〕
図５（ａ）は、本発明の第二実施形態に係る改修工法を行った後の、主幹ブレーカ３とブロッキングフィルタ１１の正面図であり、図５（ｂ）はそのＡ−Ａ線方向から見た図である。
図５に示すように、本実施形態では、主幹ブレーカ３の一次側に設けられるブロッキングフィルタ１１が、コンデンサ１３とフェライトコア１４の双方を事前に一体に作り込んだフィルタユニット２４により構成されている。
【００４０】
このフィルタユニット２４は、主幹ブレーカ３の一次側の各接点に取り付けられる導電性を有する複数本の取付アーム２５と、この取付アーム２５間に挿入されるコンデンサ１３と、各取付アーム２５の周囲を取り囲むように取り付けられるフェライトコア１４とを備えている。
取付アーム２５は、主幹ブレーカ３の第一接点５Ｒに取り付けられる第一アーム２５Ｒと、第二接点５Ｂに取り付けられる第二アーム２５Ｂと、第三接点５Ｗに取り付けられる第三アーム２５Ｗとを備えている。
【００４１】
図５（ｂ）に示すように、第一アーム２５Ｒは、第一接点５Ｒから左右方向一方側（図５（ｂ）の左側）に向かって張り出し状に延びており、第二アーム２５Ｂは、第二接点５Ｂから左右方向他方側（図５（ｂ）の右側）に向かって張り出し状に延びている。また、第三アーム２５Ｗは、第三接点５Ｗから左右に分かれて分岐しており、その左右両側において第一アーム２５Ｒ及び第二アーム２５Ｂと平行に延びている。
第一アーム２５Ｒと第三アーム２５Ｗの左側部分との間には前記コンデンサ接続ユニット１７が架設され、第二アーム２５Ｂと第三アーム２５Ｗの右側部分との間にも前記コンデンサ接続ユニット１７が架設されている。
【００４２】
一方、フェライトコア１４は、左右にそれぞれ四つずつ設けられ、フェライトコア１４でコンデンサ接続ユニット１７を左右から挟んだ状態となるように、各フェライトコア１４が第一〜第三アーム２５Ｒ，２５Ｂ，２５Ｗにそれぞれ取り付けられている。
本実施形態のフィルタユニット２４を用いて分電盤１を改修するには、主幹ブレーカ３の一次側の各接点５から被覆電線１２を取り外し、当該フィルタユニット２４の第一〜第三アーム２５Ｒ，２５Ｂ，２５Ｗをその各接点５に接続し、この各アーム２５Ｒ，２５Ｂ，２５Ｗの先端部に既存の上記被覆電線１２を接続するようにすればよい。
【００４３】
このように、本実施形態のフィルタユニット２４を使用すれば、分電盤１に対する現場でのコンデンサ１３やフェライトコア１４の現地取り付け作業が不要となり、施工がより簡便になる。
なお、図５に例示したフィルタユニット２４は、左右両側に延びる取付アーム２５の延設部分にコンデンサ１３やフェライトコア１４を設けているので、左右方向の寸法よりも上下方向の寸法が格段に小さい。このため、このフィルタユニット２４は、筐体２内部の主幹ブレーカ３の一次側において、上下方向のスペースに余裕がないが、左右方向のスペースに余裕がある場合に有効である。
【００４４】
なお、図５では、コンデンサ１３とフェライトコア１４の双方を設けたフィルタユニット２４を例示しているが、それらのいずれか一方を取付アーム２５に取り付けたものであってもよい。
【００４５】
〔第三実施形態〕
図６は、本発明の第三実施形態に係る改修工法を示し、（ａ）は改修前の分電盤１の正面図であり、（ｂ）は改修後の分電盤１の正面図である。
図６（ａ）に示すように、主幹ブレーカ３の一次側に十分に広いスペースがなく、このままでは、その一次側にブロッキングフィルタ１１の構成素子を取り付ける本発明の改修工法を実施できない場合がある。
【００４６】
そこで、本実施形態では、図６（ｂ）に示すように、主幹ブレーカ３を分電盤１の筐体２内で側方に移動させて空きスペース２６を確保し、この空きスペース２６に収納される複数本の被覆電線１２に対して、フェライトコア１４とコンデンサ接続ユニット１７を取り付けることにより、Ｌ＋Ｃ＋Ｌ構造のＬＣ回路よりなるブロッキングフィルタ１１を構成するようにしている。
【００４７】
〔第四実施形態〕
図７は、本発明の第四実施形態に係る改修工法を示し、（ａ）は改修前の分電盤１の正面図であり、（ｂ）は改修後のブロッキングフィルタ１１の正面図である。また、（ｃ）は同フィルタ１１の断面図であり、（ｄ）は同フィルタ１１の回路構成図である。
図７に示すように、本実施形態では、分電盤１の筐体２内ではなく、その筐体２の外部に露出する被覆電線１２における、当該筐体２の近傍の部分でかつＲＢの２００Ｖの間にブロッキングフィルタ１１の構成素子を設置する場合を示している。
【００４８】
図７（ｂ）及び（ｃ）に示すように、このブロッキングフィルタ１１は、第一〜第三電線１２Ｒ，１２Ｂ，１２Ｗのすべてを取り囲むように取り付けられるコンデンサ接続ユニット１７と、第一及び第二電線１２Ｒ，１２Ｂに取り付けられる合計四つのフェライトコア１４とを備えている。
本実施形態のコンデンサ接続ユニット１７は、その基本的構造と機能については、第一実施形態のユニット１７（図３）と同様であるが、幾つかの点で第一実施形態のものと相違する。そこで、以下において、第一実施形態のユニット１７と同じ機能部材については、図面に同じ参照符号を付して詳細な説明を省略し、相違点のみを重点的に述べる。
【００４９】
本実施形態のコンデンサ接続ユニット１７は、一対の接合フレーム２７Ａ，２７Ｂが断面矩形の板材よりなり、これらのフレーム２７Ａ，２７Ｂは三つの半円形状の収納溝２１を互いの接合面に有している。なお、この場合の収納溝２１も、半円の一部若しくは半楕円等であってもよい。
従って、各収納溝２１内に三本の被覆電線１２をそれぞれ収納して一対の接合フレーム２７Ａ，２７Ｂを互いに接合し、その接合フレーム２７Ａ，２７Ｂの両端部を止めねじ２０で締結することにより、三本の被覆電線１２が径外方向から挟み込まれ、その三本の被覆電線１２間に接合フレーム２７Ａ，２７Ｂを架け渡した状態で取り付けられるようになっている。
【００５０】
また、遮断部材１９は、ヒューズ機能とスイッチ機能を併有するブレーカよりなり、このブレーカ１９の電線側の両接点は、第三電線１２Ｗ（中性線Ｗ）ではなく、第一及び第二電線１２Ｒ，１２Ｂに差し込み可能な接続ピン２２に接続されている。そして、ブレーカ１９の反電線側の両接点に、コンデンサ１３のリード線が接続されている。
従って、三本の被覆電線１２間に接合フレーム２７Ａ，２７Ｂを架け渡した状態で取り付けた後、各接続ピン２２の突出端部を押し込むと、接合フレーム２７Ａ，２７Ｂの収納溝２１に収納された第一電線１２Ｒと第二電線１２Ｂに接続ピン２２が突き刺さって内部の芯線に接続され、これにより、コンデンサ１３がブレーカ１９を経由して第一電線１２Ｒと第二電線１２Ｂの間に挿入されるようになっている。
【００５１】
〔電力線通信システム〕
図８は、電力線通信（ＰＬＣ）システムを適用したホテルの配線系統図である。
図８に示すＰＬＣシステム３０は、６階建てのホテル３１に適用したものであり、２〜６階が客室となっている。ホテル３１の屋上には受電用のキュービクル３２が設置され、このキュービクル３２から延びる配電用の幹線３３が、各階のダクトスペース３４内に設置された前記分電盤１に引き込まれている。このため、各階での各部屋へのコンセントや照明等の給電は、同一階の分電盤１から延びる枝線３５から行われる。
【００５２】
各部屋への配電のための幹線３３と枝線３５が敷設された上記ホテル３１にＰＬＣシステム３０を構築するには、分電盤１から分岐する枝線３５に対して、電力線通信を行う各モデムＭＳ，ＬＳをそれぞれ接続する工程と、ＰＬＣ信号の通過を抑制する機能を分電盤１に付加する改修工事を行う工程とを、各階で順次行うようにすればよい。
【００５３】
そこで、図８に示すホテル３１では、ＰＬＣモデムの親機ＭＳが、各階の分電盤１から延びる枝線３５に接続され、ダクトスペース３４内に収納されている。
この親機ＭＳは、光通信で外部ネットワークと繋がるメディアコンバータ（図示せず）と接続されており、そのコンバータとの間でイーサネット（登録商標）での信号の送受信を行い、子機ＬＳとの間では、電力線（枝線３５）を通信媒体としてＰＬＣ信号の送受信を行う。
【００５４】
一方、ＰＬＣモデムの子機ＬＳは、各階の各部屋（一部でも全部でもよい。）に設置され、その各部屋のコンセントを通じて、分電盤１から延びる枝線３５に接続されている。従って、各階に一つずつ設置された親機ＭＳとその配下の複数の子機ＬＳにより、一つのＬＡＮ（ローカルエリアネットワーク）が構成される。
上記ＰＬＣシステム３０において、各階の分電盤１（その筐体２の近傍の被覆電線１２を含む。）には、これまで説明したブロッキングフィルタ１１の構成要素を設ける改修工事が施され、これにより、ＰＬＣ信号の通過を抑制する機能が当該分電盤１に付加されている。
【００５５】
すなわち、主幹ブレーカ３及び分岐ブレーカ４とこれらを互いに接続する複数本のブスバー７とを備えた各階の分電盤１に対し、主幹ブレーカ３の一次側の被覆電線１２にフェライトコア１４やコンデンサ接続ユニット１７を取り付けたり、或いは、前記フィルタユニット２４を設けたりすることにより、ＰＬＣ信号の通過を抑制する機能を付加する改修工事が、各階の分電盤１に施される。
【００５６】
従って、このようなＰＬＣ信号の通過抑制機能が付加された分電盤１により、ＰＬＣ信号が異なる階に跨って送受信されることが防止され、ネットワーク外へのＰＬＣ信号の漏洩が防止される。換言すると、ＰＬＣ信号による通信範囲が、各階のＬＡＮ内での通信に制限される。
そして、本実施形態では、主幹ブレーカ３の一次側に上記ブロッキングフィルタ１７を設置するようにしたので、ＰＬＣ信号の漏れ対策のための分電盤１の改修工事の作業が容易になる。このため、ＬＡＮ間の信号漏れを抑制するＰＬＣシステム３０の構築作業も簡単になる。
【００５７】
なお、図８では、ホテル３１の配線系統図を例示しているが、集合住宅や戸建て住宅の場合にも、本発明のフェライトコア１０や交換用ブスバー２０を適用することができ、この場合、ＰＬＣ信号の通過抑制機能が分電盤１に付加されることにより、他の住宅への信号の漏洩を防止することができる。
【００５８】
上記実施形態はすべて例示であり本発明の範囲を制限するものではない。本発明の範囲は、上記実施形態ではなく特許請求の範囲によって示され、特許請求の範囲の構成と均等の範囲内での変更が含まれる。
【図面の簡単な説明】
【００５９】
【図１】本発明の改修工法に適した分電盤の内部構造を示す正面図である。
【図２】第一実施形態に係る改修工法を行った後の、主幹ブレーカとブロッキングフィルタの正面図である。
【図３】（ａ）はコンデンサ接続ユニットの正面図、（ｂ）はその左側面図、（ｃ）はその右側面図、（ｄ）はその取り付け状態を示す平面図である。
【図４】第一実施形態の変形例を示す、主幹ブレーカとブロッキングフィルタの正面図である
【図５】（ａ）は本発明の第二実施形態に係る改修工法を行った後の、主幹ブレーカとブロッキングフィルタの正面図であり、（ｂ）は（ａ）のＡ−Ａ線方向から見た図である。
【図６】第三実施形態に係る改修工法を示し、（ａ）は改修前の分電盤の正面図であり、（ｂ）は改修後の分電盤の正面図である。
【図７】第四実施形態に係る改修工法を示し、（ａ）は改修前の分電盤の正面図であり、（ｂ）は改修後のブロッキングフィルタの正面図である。また、（ｃ）は同フィルタの断面図であり、（ｄ）は同フィルタ１１の回路構成図である。
【図８】電力線通信システムを適用したホテルの配線系統図である。
【符号の説明】
【００６０】
１：分電盤  ２：筐体  ３：主幹ブレーカ  ４：分岐ブレーカ
５：一次側の接点  ５Ｒ：第一接点  ５Ｂ：第二接点  ５Ｗ：第三接点
６：二次側の接点  ６Ｒ：第一接点  ６Ｂ：第二接点  ６Ｗ：第三接点
７：ブスバー  ７Ｒ：第一ブスバー  ７Ｂ：第二ブスバー  ７Ｗ：第三ブスバー
１１：ブロッキングフィルタ
１２：被覆電線  １２Ｒ：第一電線  １２Ｂ：第二電線  １２Ｗ：第三電線
１３：コンデンサ  １４：フェライトコア  １５：コアピース  １６：介在シート
１７：コンデンサ接続ユニット  １８Ａ：接合フレーム  １８Ｂ：接合フレーム
１９：遮断部材  ２０：止めねじ  ２１：収納溝  ２２：接続ピン
２４：フィルタユニット
２５：取付アーム  ２５Ｒ：第一アーム  ２５Ｂ：第二アーム  ２５Ｗ：第三アーム
２６：空きスペース  ２７Ａ：接合フレーム  ２７Ｂ：接合アーム
３０：ＰＬＣシステム  ３１：ホテル  ３２：キュービクル  ３３：幹線
３４：ダクトスペース  ３５：枝線 
【図１】
2009011140.tif 000003
【図２】
2009011140.tif 000004
【図３】
2009011140.tif 000005
【図４】
2009011140.tif 000006
【図５】
2009011140.tif 000007
【図６】
2009011140.tif 000008
【図７】
2009011140.tif 000009
【図８】
2009011140.tif 000010